(57)【特許請求の範囲】
【請求項１】
建物躯体（５００，６００）に生じる隙間を目隠しするための化粧材（１００）を、建物躯体（５００，６００）に取付けるための化粧材（１００）の取付構造であって、合成樹脂製化粧材（１００）と、防火用無機材（２００）とを有し、前記合成樹脂製化粧材（１００）は、前記防火用無機材（２００）によって前記建物躯体（５００，６００）に生じる隙間を目隠し可能とする位置に、前記防火用無機材（２００）を支持する支持領域が設けられ、
前記支持領域により、あらかじめ前記合成樹脂製化粧材（１００）に前記防火用無機材（２００）が取付けられた状態で、前記合成樹脂製化粧材（１００）および前記防火用無機材（２００）が前記建築躯体（５００，６００）に取付けられる、
化粧材の取付構造。
【請求項２】
前記防火用無機材（２００）は、前記合成樹脂製化粧材（１００）との間に支持部材（３００）を介在させることにより、前記合成樹脂製化粧材（１００）に支持される、請求項１に記載の化粧材の取付構造。
【発明の詳細な説明】
【０００１】
【発明の属する技術分野】
この発明は、化粧材を建物躯体に取付けるための化粧材の取付構造に関する。
【０００２】
【従来の技術】
１階建物躯体と２階建物躯体との間に生じる隙間を目隠しするために、一般的に胴差しと呼ばれる化粧材が用いられる。従来、１階建物躯体と２階建物躯体との間に生じる隙間は１０ｍｍ程度であり、防火上問題とならないため、化粧材には表面の意匠性に優れた合成樹脂製化粧材が用いられていた。
【０００３】
しかし、近年、外壁構造の規格の関係から、１階建物躯体と２階建物躯体との間に数十ｍｍ以上の隙間が生じる場合があり得る。数十ｍｍ以上の隙間が生じる場合、単に合成樹脂製化粧材で化粧するのみならず、何らかの防火対策を施した構造が必要になる。
【０００４】
そこで、防火用無機材により１階建物躯体と２階建物躯体との隙間の目隠しを行ない、意匠上の要求を満足させるため防火用無機材を覆うようにして合成樹脂製化粧材を取付ける構造が用いられている。
【０００５】
【発明が解決しようとする課題】
しかしながら、１階建物躯体と２階建物躯体との隙間の目隠しを行なうための防火用無機材および合成樹脂製化粧材は、それぞれビス等を用いて建物躯体に固定される。しかし、化粧材および防火用無機材はいすれも長尺であるため、その取扱が容易でない場合が多い。特に、防火用無機材として窯業製品等を用いた場合には、重量もかなりの重さになる。したがって、このような部材を２度にわたって、建物躯体側に取付けることは作業時間が膨大になり、またその作業は煩わしいといえる。
【０００６】
したがって、この発明は上記問題点を解決するためになされたもので、化粧材の取付の作業性の向上を図ることのできる化粧材の取付構造を提供することにある。
【０００７】
【課題を解決するための手段】
この発明に基づいた、化粧材の取付構造においては、建物躯体に生じる隙間を目隠しするための化粧材を、建物躯体に取付けるための化粧材の取付構造であって、合成樹脂製化粧材と、防火用無機材とを有し、合成樹脂製化粧材は、防火用無機材によって建物躯体に生じる隙間を目隠し可能とする位置に、防火用無機材を支持する支持領域が設けられ、支持領域により、あらかじめ合成樹脂製化粧材に防火用無機材が取付けられた状態で、合成樹脂製化粧材および防火用無機材が建築躯体に取付けられる。
【０００８】
また、好ましくは、防火用無機材は、合成樹脂製化粧材との間に支持部材を介在させることにより、合成樹脂製化粧材に支持される。
【０００９】
このように、合成樹脂製化粧材に防火用無機材を支持する領域を設けておくことにより、あらかじめ合成樹脂製化粧材に防火用無機材を取付けておくことができる。その結果、１度の作業で合成樹脂製化粧材および防火用無機材を容易に建物躯体に取付けることが可能になり、化粧材の取付作業の容易化（施工性の向上）および効率化を図ることが可能になる。
【００１０】
【発明の実施の形態】
以下、この発明に基づいた各実施の形態における、化粧材の建物躯体への取付構造について、図を参照して説明する。
【００１１】
（実施の形態１）
図１を参照して、実施の形態１における化粧材の建物躯体への取付構造１０００について説明する。なお、図１は、化粧材の建物躯体への取付構造を示す縦断面図である。
【００１２】
＜全体構造＞
本実施の形態における化粧材の建物躯体への取付構造１０００は、化粧材として、合成樹脂製化粧材１００が用いられ、防火用無機材として窯業製板材２００が用いられる。窯業製板材２００は、１階建物躯体５００と２階建物躯体６００との間に生じる隙間Ｃにおける防火上の目的から設けられる。また、合成樹脂製化粧材１００は、窯業製板材２００を覆い、意匠上の要請から設けられる。
【００１３】
合成樹脂製化粧材１００は、意匠上の観点および機能上の観点から、正面プレート部１０１、上面プレート部１０３、底部プレート部１０４および底面プレート１０６を有している。さらに、正面プレート部１０１および底部プレート部１０４の内面部分には、窯業製板材２００を支持するために用いられる、上部係合凸部１０２および下部係合凸部１０５が形成されている。
【００１４】
一方、窯業製板材２００は、本体部２０１と、合成樹脂製化粧材１００の上部係合凸部１０２と噛合う係合部２０２とが成形されている。
【００１５】
＜取付構造＞
合成樹脂製化粧材１００による窯業製板材２００の支持は、図１の断面構造に示すように、係合凸部１０２と係合部２０２とを噛合わせるとともに、本体部２０１を下部係合凸部１０５に載置させる。
【００１６】
また、合成樹脂製化粧材１００の建物躯体への取付は、上面プレート部１０３が、ビス７０１により桟木４００に固定され、底部プレート部１０４が下部係合凸部１０５を貫通するビス７０３により１階建物躯体５００に固定される。なお、桟木４００は、ビス７０２により２階建物躯体６００に固定されている。また、上面プレート部１０３と２階建物躯体６００との間に生じる隙間は、シール材８００により目隠しされる。
【００１７】
以上、本実施の形態における化粧材の建物躯体への取付構造１０００によれば、あらかじめ合成樹脂製化粧材１００に窯業製板材２００を取付けておくことで、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００１８】
（実施の形態２）
図２を参照して、実施の形態２における化粧材の建物躯体への取付構造１１００について説明する。なお、図２は、化粧材の建物躯体への取付構造を示す縦断面図である。
【００１９】
＜全体構造＞
本実施の形態における化粧材の建物躯体への取付構造１１００は、化粧材として、合成樹脂製化粧材１１０が用いられ、防火用無機材として窯業製板材２１０が用いられる。窯業製板材２１０は、１階建物躯体５００と２階建物躯体６００との間に生じる隙間Ｃにおける防火上の目的から設けられる。また、合成樹脂製化粧材１１０は、窯業製板材２１０を覆い、意匠上の要請から設けられる。
【００２０】
合成樹脂製化粧材１１０は、意匠上の観点および機能上の観点から、正面プレート部１１１、上面プレート部１１３および底面プレート１１５を有している。さらに、正面プレート部１１１の内面部分には、窯業製板材２１０を支持するための内面凹部１１２ａ，１１４ａを形成する上部係合凸部１１２および下部係合凸部１１４が形成されている。
【００２１】
一方、窯業製板材２１０は、本体部２１１と、内面凹部１１２ａ，１１４ａに嵌合する嵌合凸部２１０ａ，２１０ｂとが成形されている。
【００２２】
＜取付構造＞
合成樹脂製化粧材１１０による窯業製板材２１０の支持は、図２の断面構造に示すように、合成樹脂製化粧材１１０の内面凹部１１２ａ，１１４ａに窯業製板材２１０の嵌合凸部２１０ａ，２１０ｂを嵌合させる。
【００２３】
また、合成樹脂製化粧材１１０の建物躯体への取付は、上部係合凸部１１２および下部係合凸部１１４を貫通するビス７０１，７０２により１階建物躯体５００および２階建物躯体６００に固定される。また、上面プレート部１１３と２階建物躯体６００との間に生じる隙間は、シール材８００により目隠しされる。
【００２４】
以上、本実施の形態における化粧材の建物躯体への取付構造１１００構造によれば、あらかじめ合成樹脂製化粧材１１０に窯業製板材２１０を取付けておくことで、容易に窯業製板材２１０および合成樹脂製化粧材１１０を建物躯体５００，６００に取付けることが可能になり、化粧材の取付作業の容易化に伴なう施工性の向上および取付作業の効率化を図ることが可能になる。
【００２５】
（実施の形態３）
図３を参照して、実施の形態３における化粧材の建物躯体への取付構造１２００について説明する。なお、図３は、化粧材の建物躯体への取付構造を示す縦断面図である。
【００２６】
＜全体構造＞
本実施の形態における化粧材の建物躯体への取付構造１２００は、化粧材として、合成樹脂製化粧材１２０が用いられ、防火用無機材として窯業製板材２２０が用いられる。窯業製板材２２０は、１階建物躯体５００と２階建物躯体６００との間に生じる隙間Ｃにおける防火上の目的から設けられる。また、合成樹脂製化粧材１２０は、窯業製板材２２０を覆い、意匠上の要請から設けられる。
【００２７】
合成樹脂製化粧材１２０は、意匠上の観点および機能上の観点から、正面プレート部１２１、上面プレート部１２２、上面突出プレート部１２３および底部プレート部１２４を有している。さらに、底部プレート部１２４の内面部分には、窯業製板材２００を支持するために用いられる、下部係合凸部１２５が形成されている。
【００２８】
一方、窯業製板材２２０は、本体部２２１と、合成樹脂製化粧材１００の上面プレート部１２２および上面突出プレート部１２３に係合する係合部２２２とが成形されている。
【００２９】
＜取付構造＞
合成樹脂製化粧材１２０による窯業製板材２２０の支持は、図３の断面構造に示すように、合成樹脂製化粧材１００の上面プレート部１２２および上面突出プレート部１２３に窯業製板材２２０の係合部２２２を係合させるとともに、本体部２２１を下部係合凸部１２５に載置させる。
【００３０】
また、合成樹脂製化粧材１２０の建物躯体への取付は、上面プレート部１２２が上面突出プレート部１２３および係合部２２２を貫通するビス７０１により２階建物躯体６００に固定され、底部プレート部１０４が下部係合凸部１０５を貫通するビス７０２により１階建物躯体５００に固定される。また、係合部２２２と２階建物躯体６００との間に生じる隙間は、シール材８００により目隠しされる。
【００３１】
以上、本実施の形態における化粧材の建物躯体への取付構造１２００構造によれば、あらかじめ合成樹脂製化粧材１２０に窯業製板材２２０を取付けておくことで、容易に窯業製板材２２０および合成樹脂製化粧材１２０を建物躯体５００，６００に取付けることが可能になり、化粧材の取付作業の容易化に伴なう施工性の向上および取付作業の効率化を図ることが可能になる。
【００３２】
（実施の形態４）
図４を参照して、実施の形態４における化粧材の建物躯体への取付構造１３００について説明する。なお、図４は、化粧材の建物躯体への取付構造を示す縦断面図である。
【００３３】
＜全体構造＞
本実施の形態における化粧材の建物躯体への取付構造１３００は、化粧材として、合成樹脂製化粧材１３０が用いられ、防火用無機材として窯業製板材２３０が用いられる。窯業製板材２３０は、１階建物躯体５００と２階建物躯体６００との間に生じる隙間Ｃにおける防火上の目的から設けられる。また、合成樹脂製化粧材１３０は、窯業製板材２３０を覆い、意匠上の要請から設けられる。
【００３４】
合成樹脂製化粧材１３０は、意匠上の観点および機能上の観点から、正面プレート部１３１、上面プレート部１３３および底面プレート１３６を有している。さらに、正面プレート部１３１の内面部分には、窯業製板材２１０を支持するための内面凸部１３２，１３５が設けられている。この内面凸部１３２，１３５には、かえり部を構成するヘッド１３２ａ，１３５ａが形成されている。また、上面プレート部１３３および底面プレート１３６の縁部には、フランジ部１３４，１３７が形成されている。
【００３５】
一方、窯業製板材２３０は、本体部２３１と、くびれ部を有するヘッド２３２，２３３が形成されている。さらに、合成樹脂製化粧材１１０と窯業製板材２３０との間には、支持部材３００が設けられている。
【００３６】
この支持部材３００は、合成樹脂製化粧材１３０に形成されたヘッド１３２ａ，１３５ａに係合するかえり部３０３ａ，３０５ａを有し、内面凸部１３２，１３５が挿入される係合凹部３０３，３０５と、窯業製板材２３０に形成されたヘッド２３２，２３３が挿入される係合凹部３０２，３０４が設けられている。
【００３７】
＜取付構造＞
合成樹脂製化粧材１３０による窯業製板材２３０の支持は、図４の断面構造に示すように、合成樹脂製化粧材１３０と窯業製板材２３０との間に支持部材３００を介在させることにより、窯業製板材２３０を支持する。
【００３８】
また、合成樹脂製化粧材１３０の建物躯体への取付は、合成樹脂製化粧材１３０に設けられたフランジ部１３４，１３７を貫通するビス７０１，７０２により１階建物躯体５００および２階建物躯体６００に固定される。
【００３９】
以上、本実施の形態における化粧材の建物躯体への取付構造１３００構造によれば、あらかじめ合成樹脂製化粧材１３０に窯業製板材２３０を支持部材３００を介在させて取付けておくことで、容易に窯業製板材２３０および合成樹脂製化粧材１３０を建物躯体５００，６００に取付けることが可能になり、化粧材の取付作業の容易化に伴なう施工性の向上および取付作業の効率化を図ることが可能になる。
【００４０】
なお、上記各実施の形態において、実施の形態１，３および４に示す構造は、化粧材に対して裏面側から窯業製板材を係止させる構造を採用し、実施の形態２に示す構造は、化粧材の端面部分から窯業製板材をスライドさせて挿入する構造が採用している。作業性の観点からすれば、窯業製板材をスライドさせて挿入する実施の形態２に示す構造よりも、化粧材に対して裏面側から窯業製板材を係止させる実施の形態１，３および４に示す構造の方がより好ましい構造であるといえる。
【００４１】
なお、上記各実施の形態においては、防火用無機材として窯業製板材を用いた場合について説明しているが、防火用無機材としては、他に鉄板、アルミ板等の金属材料を用いることも可能である。
【００４２】
また、上記各実施の形態においては、化粧材として胴差しに適用した場合について説明しているが、これに限られず、破風、幕板等、その他建築構造物の外観の向上を図るために用いる部分に適用することが可能である。
【００４３】
したがって、今回開示した上記各実施の形態はすべての点で例示であって、制限的なものではないと考えられる。本発明の範囲は、上記した説明ではなく特許請求の範囲によって画定され、特許請求の範囲と均等の意味および範囲内でのすべての変更が含まれる。
【００４４】
【発明の効果】
この発明に基づいた化粧材の取付構造によれば、合成樹脂製化粧材に防火用無機材を支持する領域を設けておくことにより、あらかじめ合成樹脂製化粧材に防火用無機材を取付けておくことができる。その結果、１度の作業で、合成樹脂製化粧材および防火用無機材を容易に建物躯体に取付けることが可能になり、化粧材の取付作業の容易化（施工性の向上）および効率化を図ることが可能になる。
【図面の簡単な説明】
【図１】  この発明に基づいた実施の形態１における化粧材の取付構造を示す縦断面図である。
【図２】  この発明に基づいた実施の形態２における化粧材の取付構造を示す縦断面図である。
【図３】  この発明に基づいた実施の形態３における化粧材の取付構造を示す縦断面図である。
【図４】  この発明に基づいた実施の形態４における化粧材の取付構造を示す縦断面図である。
【符号の説明】
１０００，１１００，１２００，１３００  取付構造、１００，１１０，１２０，１３０  合成樹脂製化粧材、１０１  正面プレート部、１０２  上部係合凸部、１０３  上面プレート部、１０４  底部プレート部、１０５  下部係合凸部、１０６  底面プレート、１１１  正面プレート部、１１３  上面プレート部、１１５  底面プレート、１１２ａ，１１４ａ  内面凹部、１１２  上部係合凸部、１１４  下部係合凸部、１２１  正面プレート部、１２２  上面プレート部、１２３  上面突出プレート部、１２４  底部プレート部、１２５  下部係合凸部、１３１  正面プレート部、１３３  上面プレート部、１３６  底面プレート、１３２，１３５  内面凸部、１３２ａ，１３５ａ  ヘッド、１３４，１３７  フランジ部、２００，２１０，２２０，２３０  窯業製板材、２０２  係合部、２０１，２１１，２２１，２３１  本体部、２１０ａ，２１０ｂ  嵌合凸部、２２２  係合部、２３２，２３３  ヘッド、４００  桟木、５００  １階建物躯体、６００  ２階建物躯体、７０１，７０２，７０３，７０４  ビス、８００  シール材、Ｃ  隙間。
【図１】
0004434378.tif 000002
【図２】
0004434378.tif 000003
【図３】
0004434378.tif 000004
【図４】
0004434378.tif 000005